(57)【特許請求の範囲】
【請求項１】
前後方向に複数の商品を並んだ状態で収納する商品収納路を複数列立設した商品収納棚と、前記商品収納棚の前端部の前記商品収納路出口部に隣り合う２つの前記商品収納路に対して一個ずつ左右に回動可能に設けられた第一の商品受け板と、前記第一の商品受け板を回動させる駆動軸と、前記第一の商品受け板の回動と連動して回転作動する作動部材と、前記第一の商品受け板の後方のそれぞれの前記商品収納路の商品滑走面側に設けられ前記作動部材の回転作動により上方に回転傾動する第二の商品受け板とからなり、
販売待機時には、前記第二の商品受け板が前記商品滑走面より突出しておらず、隣り合う２つの前記商品収納路の商品が前記商品収納路の出口から落下しないように前記第一の商品受け板が前記商品収納路を塞いで、前記第一の商品受け板に前記商品収納路の先頭の商品が後方から当接しており、
隣り合う２つの前記商品収納路のうち左側の前記商品収納路の商品を搬出する時は、前記駆動軸が時計方向に回転し、前記駆動軸の回転により前記第一の商品受け板が右に回動すると共に前記作動部材も回転し、前記作動部材の回転作動により隣り合う２つの前記商品収納路のうち左側の前記商品収納路の前記第二の商品受け板が上方に回転傾動して前記第二の商品受け板が前記商品滑走面より突出することにより、左側の前記商品収納路の第一番目の商品を前記商品収納路の出口から落下させるとともに、突出した前記第二の商品受け板により左側の前記商品収納路の第二番目の商品の前記商品収納路の出口への移動を規制し、
隣り合う２つの前記商品収納路のうち右側の前記商品収納路の商品を搬出する時は、前記駆動軸が反時計方向に回転し、前記駆動軸の回転により前記第一の商品受け板が左に回動すると共に前記作動部材も回転し、前記作動部材の回転作動により隣り合う２つの前記商品収納路のうち右側の前記商品収納路の前記第二の商品受け板が上方に回転傾動して前記第二の商品受け板が前記商品滑走面より突出することにより、右側の前記商品収納路の第一番目の商品を前記商品収納路の出口から落下させるとともに、突出した前記第二の商品受け板により右側の前記商品収納路の第二番目の商品の前記商品収納路の出口への移動を規制するように構成された自動販売機の商品搬出装置。
【請求項２】
商品収納路内に後方より搬出側に付勢する弾性部材と前記弾性部材を保持し商品の移動をさせる送り出し押板とを商品収納路に設け、前記送り出し押板の搬出口側に商品売切れを表す文字部を一体に組込んだ請求項１記載の自動販売機の商品搬出装置。
【請求項３】
第一の商品受け板が、透光性材料により形成された請求項１または２記載の自動販売機の商品搬出装置。
【請求項４】
商品収納路の後方に設けられ前記駆動軸と固着させ回転出来る接続部材と、前記接続部材と保持と着脱が自在な駆動モーターとを設け、商品収納棚を引出した時、前記駆動モーターと商品搬出装置が分離し、前記商品収納棚を収納した時は結合出来る請求項１から請求項３のいずれか一項に記載の自動販売機の商品搬出装置。
【請求項５】
前記押板に押圧され作動する検知作動棒と、商品収納路の後方に設けられ検知作動棒と当接する商品検知スイッチとを有し、商品収納棚を引出した時には分離し、前記商品収納棚を収納した時は当接出来る構造とした請求項２から請求項４のいずれか一項に記載の自動販売機の商品搬出装置。
【発明の詳細な説明】
【０００１】
【産業上の利用分野】
本発明は商品収納棚を上下方向に複数配列して成る自動販売機の商品搬出装置に関する。
【０００２】
【従来の技術】
一般にこの種自動販売機の商品搬出装置は、多数の商品収納棚が上下に複数列設けられて商品を横倒しにし、胴部が転動するよう多段に収納され商品通路の端部に、それぞれ設けられている（例えば特公昭５３−１１４７９号公報）。そして、商品収納棚の最前列の商品が、係止腕より係止されている商品搬出装置が設けてある。
【０００３】
以下、上述した従来の自動販売機の商品搬出装置の一例について説明を行う。自動販売機の本体内に、上下方向に複数配列して商品通路を有する商品収納棚が設けられている。そして、前記商品収納棚の各商品通路の搬出口部分には、それぞれ商品搬出装置が設けてある。前記商品搬出装置は、筒状体における下端側の傾斜した商品載置面の下端から第一係止爪を突出させ、これにより、商品の落下を防止すると共に、商品供給時には、第一係止爪を商品載置面から没入させて、先頭商品を自重により落下させる。
【０００４】
この時第一係止爪の没入と同時に、第一の係止爪よりも後方の位置で第二係止爪を突出させ、これにより、後続商品が続いて落下することを防止するように構成されている。
【０００５】
上記構成の商品取出装置を内蔵する自動販売機においては、本体の下端側に設けられている商品取出口に手を入れて、この箇所に送られてきた商品を取り出す構造になっていた。
【０００６】
一方、例えば実公昭５５−５２５４８号公報には、各商品載置棚の後端側に上記とほぼ同様の商品取出装置が設けられると共に、この装置が作動して商品載置棚の後端から送り出された商品は、庫内背面側の落下通路を通じて、落下した後、下端部の前下がりに傾斜した案内路を通して、本体前面における下端の商品取出口へと送られる。
【０００７】
また、例えば特開平６−２８５５５号公報には、前下がりに傾斜した載置棚の前端部に設けられる、商品搬出装置の第一の商品と当接するストッパー本体の垂直面が、その下端が側を中心に回動自在に、かつ、第一の商品と第二の商品の空間に、前方への移動を阻止する第二のストッパーが設けられ、第一のストッパー本体が傾動することにより、上記上方の空間が広がって商品が取り出せる構造になっている。
【０００８】
【発明が解決しようとする課題】
しかしながら上記従来の構成では、自動販売機の商品を購入する場合、商品本体に展示されているサンプルを見て選択ボタンを押し、商品を購入する構成になっており、サンプル自身は、商品と同じ形状，色調等の外観が必要であり、商品と同じだけの種類を必要とするとともに、１つ１つのサンプル作成に手間がかかり、自動販売機自体が高価になっていた。
【０００９】
また、商品搬出装置は、各商品収納路に対して、それぞれ１個ずつ設けられ、自動販売機の奥行き方向、あるいは幅方向に複数の商品収納棚を備えている場合には、部品点数が多く、構造が複雑になり、生産性が低くコストが増加するという課題があった。
【００１０】
本発明は上記従来の課題を解決するもので、商品サンプルが無くとも、自動販売機で販売されている商品を知ること、及び購入する商品を選択することが容易で、しかも、商品搬出装置を小型化し、商品収納量を増加させることのできる自動販売機の商品搬出装置を提供することを目的とする。
【００１１】
【課題を解決しようとするための手段】
上記欠点を解決するために本発明の自動販売機の商品搬出装置は、前後方向に複数の商品を並んだ状態で収納する商品収納路を複数列立設した商品収納棚と、前記商品収納棚の前端部の前記商品収納路出口部に隣り合う２つの前記商品収納路に対して一個ずつ左右に回動可能に設けられた第一の商品受け板と、前記第一の商品受け板を回動させる駆動軸と、前記第一の商品受け板の回動と連動して回転作動する作動部材と、前記第一の商品受け板の後方のそれぞれの前記商品収納路の商品滑走面側に設けられ前記作動部材の回転作動により上方に回転傾動する第二の商品受け板とからなり、販売待機時には、前記第二の商品受け板が前記商品滑走面より突出しておらず、隣り合う２つの前記商品収納路の商品が前記商品収納路の出口から落下しないように前記第一の商品受け板が前記商品収納路を塞いで、前記第一の商品受け板に前記商品収納路の先頭の商品が後方から当接しており、隣り合う２つの前記商品収納路のうち左側の前記商品収納路の商品を搬出する時は、前記駆動軸が時計方向に回転し、前記駆動軸の回転により前記第一の商品受け板が右に回動すると共に前記作動部材も回転し、前記作動部材の回転作動により隣り合う２つの前記商品収納路のうち左側の前記商品収納路の前記第二の商品受け板が上方に回転傾動して前記第二の商品受け板が前記商品滑走面より突出することにより、左側の前記商品収納路の第一番目の商品を前記商品収納路の出口から落下させるとともに、突出した前記第二の商品受け板により左側の前記商品収納路の第二番目の商品の前記商品収納路の出口への移動を規制し、隣り合う２つの前記商品収納路のうち右側の前記商品収納路の商品を搬出する時は、前記駆動軸が反時計方向に回転し、前記駆動軸の回転により前記第一の商品受け板が左に回動すると共に前記作動部材も回転し、前記作動部材の回転作動により隣り合う２つの前記商品収納路のうち右側の前記商品収納路の前記第二の商品受け板が上方に回転傾動して前記第二の商品受け板が前記商品滑走面より突出することにより、右側の前記商品収納路の第一番目の商品を前記商品収納路の出口から落下させるとともに、突出した前記第二の商品受け板により右側の前記商品収納路の第二番目の商品の前記商品収納路の出口への移動を規制するように構成されたのである。
【００１２】
また、商品収納路内に後方より搬出側に付勢する弾性部材と、前記弾性部材を保持し商
品の移動をさせる送り出し押板とを商品収納路に設け、前記押板の搬出口側に商品売切れを表わす文字部を一体に組込んだものである。
【００１３】
また、さらに第一の商品受け板は透光性の部材である構成にしたものである。
また、さらに商品収納路の後方に設けられ前記駆動軸と固着させ回転出来る接続部材と、前記接続部材と保持と着脱が自在な駆動モーターとを設け、商品収納棚を引出した時、前記駆動モーターと商品搬出装置が分離し、前記商品収納棚を収納した時は結合出来る構成にしたものである。
【００１４】
また、さらに前記押板に押圧され作動する検知作動棒と、商品収納路の後方に設けられ検知作動棒と当接する商品検知スイッチとを有し、商品収納棚を引出した時には分離し、前記商品収納棚を収納した時は当接出来る構造としたものである。
【００１６】
【作用】
本発明は上記した構成によって、２つの商品収納路の商品を保持する第一の商品受け板と、前記第一の商品受け板を回動させる駆動軸と作動部材とを連動させて商品収納路の滑走面に設けた第二の商品受け板を回転させ作動するので商品搬出機構が薄型で小型化出来る。また第二の商品受け板を第一の商品受け板の後方に設けてあるので１番目の商品を搬出口側に払い出すと共に２番目の商品を搬出口への移動を規制でき形状の異なる商品でも確実に規制が出来るので缶、ビン、パック等形状の異なる商品でも収納できる。そして通路幅の規制が不要で商品の大きさに応じて、第２の商品受け板の位置を調整する操作がいらなく、使い勝手が向上させられる。
【００１７】
また、商品収納路内に後方より搬出側に付勢する弾性部材と前記弾性部材を保持し商品の移動をさせる送り出し押板とを商品収納路に設け前記押板の搬出口側に商品売切れを表わす文字部を一体に組込んであり商品が無くなると売切れ文字が搬出口に表れるので商品売切れ状態が文字で表すので分りやすく確実な自動販売機が提供できる。
【００１８】
また、第一の商品受け板は透光性の部材である構成にしたものであり販売商品全体が分り購入間違い等が発生しにくい自動販売機が提供できる。
【００１９】
また、商品収納路の後方に設けられ前記駆動軸と固着させ回転出来る接続部材と、前記接続部材と保持と着脱が自在な駆動モーターとを設け、商品収納棚を引出した時、前記駆動モーターと商品搬出装置が分離し、前記商品収納棚を収納した時は結合出来る構成にしたものであり、駆動用の配線が不要となり、引出し収納時配線が途中で引っ掛かることが防止出来る。
【００２０】
また、前記押板に押圧され作動する検知作動棒と、商品収納路の後方に設けられ検知作動棒と当接する商品検知スイッチとを有し、商品収納棚を引出した時には分離し、前記商品収納棚を収納した時は当接出来る構造としたものであり、商品通路内での検知する商品レバー部の取り付けが不用であり又た送り出し押板により検知作動棒を動作力が商品の重量に関係なくなる。この為、軽動作の商品レバーにする必要がなく確実な検知構造の自動販売機が提供できる。
【００２２】
【実施例】
以下、本発明の一実施例における自動販売機の商品搬出装置について、図面を参照しながら説明する。
【００２４】
透明ガラス３Ａを設けた前扉が開閉自在に取り付けられた略箱形形状の本体の庫内には、飲料用などの商品４が一列に並べて載置される商品収納棚５が、上下に複数段もうけられている。これら商品収納棚５にはそれぞれ両側部から立ち上げられた側面レール部６Ａ，６Ａ間に、この間を等間隔に仕切る商品収納路板７を有した商品収納路が複数列立設し各商品収納棚５上に商品４の幅寸法に合せそれぞれ区画されている。
【００２６】
図１、図２において、商品搬出装置８の商品収納路出口部には、２つの商品収納路の商品を保持する透光性の第一の商品受け板９が設けてある。そして、第一の商品受け板９に先頭の商品４が後方から当接し、さらにその後方に複数の商品４が並んだ状態で収納される。そして商品収納時は商品収納棚５を側面レール部６Ａ，６Ａに沿って引出し自在に構成されている。
【００２９】
各商品収納棚の前端部にそれぞれ設けられている商品収納装置８は、図１、図４に示すよう設けられており、先端部には、透光性のある板状で、商品収納側に商品が板面全体に抵触しないよう凸部形状のリブ（図示しない）を設け、それぞれの商品収納路６の約１／３の面積を塞ぐように成型された第１の商品受け板９が、２つの商品収納路板７で設けられた商品収納出口部の中央に設けてある。
【００３０】
図１、図５において、この第１の商品受け板９の中央の下部側に直角に嵌入させた状態で、商品収納路の奥行全幅に渡る駆動軸１３が、商品収納棚基盤１４の前後にＬ型の曲げフランジ部１５ａ，１５ｂに設けた貫通穴１６に軸支させ、左右に回転自在に取り付けてある。そして、駆動軸１３の搬出側の第一の商品受け板９の後部に逆Ｕ字型のカム形状を有した作動部材１７が図示しない弾性ピンにて圧入し駆動軸１３に係止させて、他端にはＵ字状の切欠きを有した接続部材１９がピン１８にて係止してある。
【００３１】
一方、商品収納棚基盤１４の搬出側商品通路で第一の商品受け板９の後方に、一点を回転自在に開動できる第二の商品受け板２０は、貫通穴２１と略逆ム字状爪部２２を突出し、他端は薄くしたＲ形状を有した形状にしてある。そして、第二の商品受け板２０の貫通穴２１に、カールを有したＬ字型の支持板２３を軸２４にて軸着させ、左右２つの商品収納路の商品滑走面側に、それぞれネジ２５にて取り付けられている。
【００３２】
図５、図７において、第二の商品受け板２０が、それぞれ水平状態の時は，逆Ｕ字型のカム形状を有した作動部材１７に設けてあるＡ爪部２６とＢ爪部２７に近接して取り付けてある。そして、駆動軸１３が時計方向に回転させると、作動部材１７に設けてあるＡ爪部２６が、左側の第二の商品受け板２０に当接して上方に回転し、若干作動した時点で、第二の商品受け板２０の略ム字状爪部２２の下側爪２２Ａを作動部材１７に設けてあるＢ爪部２７が当接し、さらに上方に回転傾動するようになっている。
【００３３】
そして、この位置に来ると図１に示す駆動モーター４４部内にある位置検知スイッチ４６が作動する構造になっており、この状態から反時計方向へ回転しはじめるＡ爪部２６が、第二の商品受け板２０の略ム字状爪部２２の上側爪２２Ｂに当接し下方に押圧し、第二の商品受け板２０が水平状態に来ると、逆Ｕ字型のカム形状を有した作動部材１７は、離れるように構成されている。また、この状態で位置検知スイッチ４６が作動し、駆動モーター４４が、停止するようになっている。
【００３４】
一方、図５、図６において、駆動軸１３が反時計方向に回転すると、作動部材１７に設けてあるＢ爪部２７が、右側の第二の商品受け板２０’に当接して上方に回転し、若干作動した時点で、第二の商品受け板２０’の略ム字状爪部２２’の下側爪２２Ａを作動部材１７に設けてあるＡ爪部２６が入り、さらに上方に回転傾動するようになっている。
【００３５】
そして、この位置に来ると、駆動モーター４４部内にある位置検知スイッチ４６が作動する。この状態から時計方向へ回転し始めると、Ｂ爪部２７が、第二の商品受け板２０’の略ム字状爪部２２の上側爪２２Ｂ’に当接し下方に押圧して、第二の商品受け板２０’が水平状態に来ると、逆Ｕ字型のカム形状を有した作動部材１７は離れる。また、この状態で位置検知スイッチ４６作動し、駆動モーター４４が、停止するようになっている。
【００３６】
次に、図１から図４及び図８において、各商品収納路の低部には、略レール状の滑走部材２８を商品収納棚基盤１４にネジにて固定してあり、滑走部材の上側には商品との接触抵抗を小さくする複数の突出したリブ２９を滑走部材の全奥行に配列し、商品の滑走面にしてある。そして、滑走面の両端部３０、３０’を商品搬出方向に慴動できるＬ型の送り出し押板３１を架設してある。押板３１の下部両端には、爪部３２を有する略Ｕの字状の内溝３３、３３’が設けられ、滑走面の両端部３０、３０’に遊嵌して挿入してある。
【００３７】
そして、Ｌ型の送り出し押板３１の前面には商品売切れの表示３４を設け、背面部には、渦巻き状の弾性部材３５が軸３６に回転自在に設けてある。渦巻き状の弾性部材３５の片端は、Ｌ型の送り出し押板３１の下部角穴３７を貫通し、滑走部材２８の上側のリブ２９間の面より埋没させ、滑走部材２８の全奥行に渡る長さにし、第二商品受け板２０の後部にてネジにて張架してある。
【００３８】
次に、略レール状の滑走部材２８の前端部にＬ型の検知作動棒３９が設けてある。検知作動棒３９は、片端に係止座金４０を固着し、その前方側には圧縮バネ４１を挿入し、商品収納棚基盤１４のＬ型の曲げフランジ１５ｂの穴を通し、他端は、Ｌ字に曲げた係止片４２を有し常に後側に付勢するよう取り付けてある。
【００３９】
そして、Ｌ型の送り出し押板３１が滑走部材２８の前端部に移動し、第二商品受け板２０位置に来ると、送り出し押板３１の下部両端には、爪部３２が検知作動棒３９のＬ字に曲げた係止片４２に当接し圧接させ、検知作動棒３９が移動させるよう構成してある。
【００４０】
次に、商品収納棚５の後部に設けた駆動モーター固定板４３に、駆動モーター４４と駆動モーター軸４５が９０°回転すると作動する位置検知スイッチ４６が、２つの商品収納路６に対して１個設けられており、駆動軸１３のＵ字状の切欠きを有した接続部材１９に着脱自在に係合してある。さらに、商品検知スイッチ４７が各商品収納路に設けた検知作動棒３９に当接して構成してある。
【００４１】
商品収納棚５を側面レール部６Ａ，６Ａに沿って引出し、その後奥まで収納すると、接続部材１９が駆動モーター軸４５に結合し、検知作動棒３９が商品検知スイッチ４７に係合し、ロック機構４８にて移動しないよう構成されている。
【００４２】
以上のように構成された自動販売機の商品搬出装置について、以下図１から図８を参照して、その動作について説明する。
【００４３】
まず、販売待機時においては、第一の商品受け板９に先頭の商品４が後方には複数の商品４が、Ｌ型の送り出し押板３１に押圧され収納されている。
【００４４】
次に、左側商品通路の販売信号が駆動モーター４４に入力され回転し、駆動軸１３が時計方向に回転すると、駆動軸１３に固着された透光性の第一の商品受け板９と作動部材１７が回転作動する。これにより、第二の商品受け板２０が、水平状態から逆Ｕ字型のカム形状を有した作動部材１７に設けてあるＡ爪部２６が左側の第二の商品受け板２０に当接して上方に回転し、若干作動した時点で、第二の商品受け板２０の略ム字状爪部２２の下側爪２２Ａを作動部材１７に設けてあるＢ爪部２７が当接して、さらに上方に回転傾動すると商品が上方に移動する。
【００４５】
商品が最上段位置にくると、第１の商品受け板９は右に９０度回転し、第一の商品が搬送路へ移動し搬出される。そして、第二商品は搬出口側に移動するが、第二の商品受け板２０が滑走面より突出しており、第二の商品が阻止され保持される。そして、駆動モーター軸４５が９０°回転すると作動する位置検知スイッチ４６が作動し、駆動モーター４４が反時計方向に逆回転する。次に、第二の商品受け板２０が水平状態に戻り、位置検知スイッチ４６が働くと停止する。この時、Ｌ型の送り出し押板３１が渦巻き状の弾性部材３５により商品は搬出口方向へ移動するが、第一の商品受け板９も待機状態に戻っており、商品は搬送路へ落下することなく阻止され止る。
【００４６】
右側商品通路の販売信号が、駆動モーター４４に入力され回転し、駆動軸１３が反時計方向に回転すると、駆動軸１３に固着された透光性の第一の商品受け板９と作動部材１７が回転作動する。これにより第二の商品受け板２０’が、水平状態から逆Ｕ字型のカム形状を有した作動部材１７に設けてあるＢ爪部２７が左側の第二の商品受け板２０’に当接して上方に回転し、若干作動した時点で、第二の商品受け板２０’の逆コ字状爪部２２’の下側爪２２Ａを作動部材１７に設けてあるＡ爪部２６が入り、さらに上方に回転傾動すると商品が上方に移動する。
【００４７】
商品が最上段位置にくると、第１の商品受け板９は左に９０度回転し、第一の商品が搬送路へ移動し搬出される。そして、第二商品は搬出口側に移動するが、第二の商品受け板２０’が滑走面より突出しており、第二の商品が同様に阻止され、保持される。そして、駆動モーター軸４５が９０°回転すると作動する位置検知スイッチ４６’が作動し、駆動モーター４４が反時計方向に正回転し、第二の商品受け板２０’が水平状態に戻って停止する。この時、Ｌ型の送り出し押板３１’が渦巻き状の弾性部材３５’により商品は搬出口方向へ移動するが、第一の商品受け板９も待機状態に戻っており、商品は搬送路へ落下することなく阻止され止る。
【００４８】
商品収納路に商品がなくなると、略レール状の滑走部材２８のＬ型の送り出し押板３１が搬出口方向へ移動し、押板３１の爪部３２がＬ型の検知作動棒３９のＬ字に曲げた係止片４２に当接し圧接させ、検知作動棒３９を移動をすると商品検知スイッチ４７より離脱し、売切れを検知することで、販売出来ない回路にしてある。
【００４９】
このような構成にしてあるため商品収納棚５の商品搬出装置８の構成が簡単で透光性があるので商品を鮮明に確認でき、さらに第二の商品受け板２０、２０’が回転傾動するため、１個ずつ確実に商品を搬送路へ搬出できる。
【００５０】
そして、駆動モーター４４も２つの商品収納路に対して一個でよく、さらに商品収納棚５には販売するための配線がなく、引出し動作での振動，衝撃が配線に伝わらなく、信頼性の高い自動販売機の商品搬出装置が提供できる。
【００５１】
【発明の効果】
以上のように本発明の自動販売機の商品搬出装置は、商品搬出装置が薄く簡単な構造である。そして販売商品が縦に収納し搬出できるため販売商品をそのまま販売でき外部から見えるショーケース方式の自動販売機にできる。このため、販売商品と同じサンプルが不要で、低価格の自動販売機が提供できる。
【００５２】
また、第二の商品受け板が商品搬出口の滑走面に設けられており、第一の商品を押出すと共に第二の商品を阻止出来るので、商品径の異なっても商品通路の調整操作が不要で、汎用性の高い自動販売機の商品搬出装置を提供できる。
【００５３】
また、伝達駆動部及び駆動モーターが小型で、商品収納路数に対して半分の個数で構成でき、低価格で薄い構造で各商品通路に設けられており、自動販売機内において商品搬出装置の占めるスペースが非常に小さく、多くの商品を収納できる。
【００５４】
また、商品を収納する場合、商品収納棚を手前に引出すが、商品搬出装置の配線がなく引出し時配線が引っ掛からない構造で、複雑で配線の為の場所の確保が不要で効率の良い収納庫ができ接触不良等なく信頼性の高い商品搬出装置が提供できる。
【図面の簡単な説明】
【図１】本発明の一実施例における自動販売機の商品搬出装置の断面図
【図２】図１に示した同商品搬出装置の斜視図
【図３】図１に示した同商品搬出装置の要部平面図
【図４】図１に示した同商品搬出装置の第一商品受け板の正面拡大図
【図５】（ａ）は図１に示した同商品搬出装置の作動部材の販売待機位置の要部正面図（ｂ）は図１に示した同商品搬出装置の作動部材の販売待機位置の要部側面図
【図６】（ａ）は図１に示した同商品搬出装置の作動部材が反時計回りに動作した状態を示す要部正面図
（ｂ）は図１に示した同商品搬出装置の作動部材が反時計回りに動作した状態を示す要部側面図
【図７】（ａ）は図１に示した同商品搬出装置の作動部材が時計回りに動作した状態を示す要部正面図
（ｂ）は図１に示した同商品搬出装置の作動部材が時計回りに動作した状態を示す要部側面図
【図８】図１に示した同商品搬出装置の商品検知スイッチの要部側面図
【符号の説明】
１    本体
３    透明ガラス
４    商品
５    商品収納棚
６  側面レール部
７  商品収納路板
８  商品搬出装置
９  第一の商品受け板
１３  駆動軸
１４  商品収納棚基盤
１５  フランジ部
１７  作動部材
１９  接続部材
２０  第二の商品受け板
２２  逆コ字状爪部
２３  支持板
２６  Ａ爪部
２７  Ｂ爪部
２８  滑走部材
２９  突出したリブ
３１  送り出し押板
３２  爪部
３４  商品売切れの表示
３５  弾性部材
３８  逆Ｕ型の溝部
３９  検知作動棒
４４  駆動モーター
４６  位置検知スイッチ
４７  商品検知スイッチ
【図１】
0003595040.tif 000002
【図２】
0003595040.tif 000003
【図３】
0003595040.tif 000004
【図４】
0003595040.tif 000005
【図５】
0003595040.tif 000006
【図６】
0003595040.tif 000007
【図７】
0003595040.tif 000008
【図８】
0003595040.tif 000009